(57)【要約】【課題】内筒に対して斜め方向から振動入力が加わる場合に、内筒と外筒との間に介在される弾性連結部の耐久性を向上させる。【解決手段】内筒２と、内筒の外方に配置される外筒３と、それら内筒と外筒との間に介在される弾性連結部４とを備える。弾性連結部をゴム製とするとともに、弾性連結部を内筒の軸芯と直交する面Ｓに対し傾斜させて配置する。内筒２に対して斜め方向から振動入力Ｆが加わる場合に、弾性連結部は主に剪断方向へ変形し、これにより、耐久性が向上する。【選択図】図３
2008202668.tif 000002
【特許請求の範囲】
【請求項１】
内筒と、該内筒の外方に配置される外筒と、それら内筒と外筒との間に介在される弾性連結部と、を備える防振装置において、
前記弾性連結部をゴム製とするとともに、前記弾性連結部を前記内筒の軸芯と直交する面に対し傾斜させて配置したことを特徴とする防振装置。
【請求項２】
前記弾性連結部を、前記内筒に対して斜め方向から入力する振動方向に対して略直交するように、傾斜させて配置したことを特徴とする請求項１記載の防振装置。
【請求項３】
前記弾性連結部の前記内筒の軸芯と直交する面に対する傾斜角度θｂを、０（度）＜θｂ＜８０（度）の範囲内に設定したことを特徴とする請求項１に記載の防振装置。
【請求項４】
前記弾性連結部に、複数のすぐり部を形成したことを特徴とする請求項１〜３のいずれか１項に記載の防振装置。
【請求項５】
前記弾性連結部が、互いに分離した複数の連結脚部を有することを特徴とする請求項１〜４のいずれか１項に記載の防振装置。
【請求項６】
前記外筒が、円筒形状とされたことを特徴とする請求項１〜５のいずれか１項に記載の防振装置。
【発明の詳細な説明】
【技術分野】
【０００１】
本発明は、例えば自動車のエンジンの振動発生部をマウントするため等に用いられる防振装置に関する。
【背景技術】
【０００２】
自動車のエンジンを、振動をある程度減衰させた状態で、車体に支持させる防振装置として、従来から各種のものが用いられている。
その一つに、内筒と、内筒の外方に配置される外筒と、それら内筒と外筒との間に介在される弾性連結部とを備え、例えば、内筒をエンジン側に固定するとともに、外筒を車体側に固定し、これによって、当該防振装置を介して、振動をある程度抑えた形で、エンジンを支持するものがある（例えば、特許文献１、特許文献２参照）。
【特許文献１】特開２００２−７０９２５号公報
【特許文献２】特開平１１−１３２２７６号公報
【発明の開示】
【発明が解決しようとする課題】
【０００３】
ところで、上述の特許文献１，２に記載された各技術にあっては、次の問題があった。
すなわち、特許文献１，２に記載された技術では、内筒と外筒とを連結する弾性連結部が、内筒の軸芯と直交する面に対して平行となるように、つまり、内筒の径方向へ真っ直ぐ延びるように配置されている。このため、例えば、内筒に対して斜め方向から振動入力が加わるとき、その入力成分の一つが弾性連結部に対して主に圧縮変形させる力として作用することとなり、このとき繰り返し行われる圧縮変形によって、弾性連結部の耐久性が悪化するという問題があった。
【０００４】
本発明は、前記の課題に鑑みてなされたもので、内筒に対して斜め方向から振動入力が加わる場合に、内筒と外筒との間に介在される弾性連結部の耐久性を向上させることができる防振装置を提供することを目的とする。
【課題を解決するための手段】
【０００５】
本発明は、上記課題を解決するため、以下の手段を採用する。
本発明に係る防振装置は、内筒と、該内筒の外方に配置される外筒と、それら内筒と外筒との間に介在される弾性連結部と、を備える防振装置において、前記弾性連結部をゴム製とするとともに、前記弾性連結部を前記内筒の軸芯と直交する面に対し傾斜させて配置したことを特徴とする。
【０００６】
本発明によれば、弾性連結部をゴム製とし、しかも、この弾性連結部を内筒の軸芯と直交する面に対し傾斜させて配置したため、内筒に対して斜め方向から振動入力が加わる際に、この振動入力に対しゴム製の弾性連結部が主に剪断方向へ変形する。通常、この種のゴム製の弾性連結部では、座屈を生じさせるか否かの点から、圧縮方向へ変形するよりも、剪断方向へ変形する方が、強い耐力が得られる。
したがって、本発明では、斜め方向から加わる振動入力に対しゴム製の弾性連結部が主に剪断方向へ変形するため、弾性連結部の耐久性が増す。
【０００７】
本発明に係る防振装置は、前記弾性連結部を、前記内筒に対して斜め方向から入力する振動方向に対して略直交するように、傾斜させて配置するのが好ましい。
この場合、斜め方向から加わる振動入力に対し、ゴム製の弾性連結部が専ら剪断方向へ変形するから、同弾性連結部の耐久性がより一層増す。
【０００８】
また、本発明に係る防振装置は、前記弾性連結部の前記内筒の軸芯と直交する面に対する傾斜角度θｂを、０（度）＜θｂ＜８０（度）の範囲内に設定するのが好ましい。
弾性連結部の傾斜角度を０度とした場合、背景技術で説明した従来のものと同様の構成となり、「発明が解決しようとする課題」でも説明したように、内筒に対して斜め方向から加わる振動入力が加わるときに、弾性連結部が繰り返し圧縮変形させられ、結果的に弾性連結部の耐久性が悪化する不具合が生じる。
また、前記弾性連結部の傾斜角度を、８０度以上に設定すると、内筒と外筒とがそれらの軸芯方向に大きくずれて配置されることとなり、当該防振装置の占有スペースが拡がり，実用上好ましくない。
この結果、本発明では、弾性連結部の傾斜角度を上述の範囲内に設定している。
【０００９】
本発明に係る防振装置は、前記弾性連結部に、複数のすぐり部を形成するのが好ましい。
この場合、すぐり部をどの箇所にどのような形状で設けるかによって、弾性連結部の特性を任意に設定することができる。また、損傷され易い箇所に予めすぐり部を設けることにより、その部分の柔軟性を増し、これによって、その箇所の損傷を未然に回避できる。さらに、すぐり部を設けることにより、内筒側に固定される部材と外筒側に固定される部材との間の相対変位におけるストッパ機能を発揮させることできる。
なお、すぐり部は貫通、非貫通の何れも上記効果を奏するものであるが、弾性連結部への引張り、圧縮の影響を緩和するには、すぐり部は貫通孔形状が好ましい。
【００１０】
本発明に係る防振装置は、前記弾性連結部が、互いに分離した複数の連結脚部を有する構成とするのが好ましい。
この場合、複数の連結脚部の形状を適宜設定することによって、弾性連結部の特性をより巾広い範囲にわたり設定することができる。
【００１１】
本発明に係る防振装置は、前記外筒を円筒形状にするのが好ましい。
この場合、外筒を形成する場合、円筒形状とするのが、最も製作し易くかつ品質管理も行い易い。このため、無理なくコストを低減できる。
【発明の効果】
【００１２】
本発明によれば、内筒に対して斜め方向から振動入力が加わる場合に、内筒と外筒との間に介在される弾性連結部が主に剪断方向へ変形するため、弾性連結部の耐久性を増すことができる。
【発明を実施するための最良の形態】
【００１３】
以下、本発明に係る防振装置の各実施形態を図面に基づいて説明する。
＜第１実施形態＞  
図１〜図３は本発明の第１実施形態の防振装置を示し、図１は防振装置の正面図、図２は図１のII―II線に沿う断面図、図３は図１のIII―III線に沿う断面図である。
これらの図に示すように、防振装置１は、内筒２と、内筒２の外方に配置される外筒３と、内筒２と外筒３との間に介在されてこれら内筒２と外筒３とを弾性的に連結するゴム製の弾性連結部４とを備える。内筒２と外筒３は、互いの軸芯が平行となるように、かつ内筒が外筒の上方側に若干偏って配置される。なお、この明細書において、上下方向は図１に表されるものを基準に定めるものとする。
【００１４】
この防振装置１は、いわゆるブッシュタイプのエンジンマウントを構成するものであって、例えば、内筒２が図示せぬステー等を介してエンジンに固定される一方、外筒３が図示せぬブラケット等を介して車体側に固定される。この場合、エンジンの振動は、弾性連結部４が適宜弾性変形することにより、減衰された形で車体に伝わる。つまり、エンジンは、当該防振装置１によって、ある程度振動を低減された形で、車体に支持されることになる。
【００１５】
内筒２は、剛性を有する材料、例えばアルミニウム合金や鋼材等により形成される。なお、アルミニウム合金は、マグネシウムやシリコンを含むものであっても良い。
外筒３は、薄くてかつ強度を有する材料、例えば、熱延鋼板等により形成される。外筒３の厚さは、内筒２の厚さよりも薄く設定される。この理由は、このタイプの外筒３は、図示せぬブラケット等の円筒支持部に嵌入されて使用されるため、円筒支持部と協働して所定の強度を発揮できるからである。外筒３は、この実施形態では、円筒形状とされているが、これに限られることなく、他の形状、例えば、外形が楕円形状であっても、あるいは多角形状であってもよい。
【００１６】
弾性連結部４は、ゴム製であって、内筒２及び外筒３に対し一体的に加硫接着されている。弾性連結部４には上下に貫通型のすぐり部５，６が形成されている。
上側のすぐり部５は円弧状にくり貫かれ、下側のすぐり部６は、３角形状にくり貫かれている。上側のすぐり部５に対向する、外筒３の内周に一体成形された弾性連結部の円弧状凹部は、第１のストッパ７とされ、この第１のストッパ７に、内筒２の外周に一体成形された弾性連結部の円弧状凸部８が当接されることで、外筒３に対する内筒２の上方への所定量以上の相対移動、並びに左右方向への相対移動がそれぞれ規制される。
【００１７】
また、下側のすぐり部６に対向する、外筒３の内周に一体成形された弾性連結部の円弧状凸部は、第２のストッパ９とされ、この第２のストッパ９に、内筒２の外周に一体成形された弾性連結部の円弧状凹部１０が当接されることで、外筒３に対する内筒２の下方への所定量以上の相対移動、並びに左右方向への相対移動がそれぞれ規制される。
【００１８】
これら上下のすぐり部５、６の間には、２個の連結脚部１１，１２が形成されている。これら連結脚部１１，１２は、図１に示すように、内筒２あるいは外筒３の端面側から見て、略９０度の開き角度θａを有するにように、互いに分離した状態で、内筒２と外筒３とにそれぞれ連結されている。
図３に示すように、内筒２の軸芯を含む断面において、弾性連結部４の連結脚部１１（１２）は、内筒２の軸芯と直交する面Ｓに対し、傾斜角度θｂを有するように傾斜して配置されている。
【００１９】
ここで、連結脚部１１（１２）の前記面Ｓに対する傾斜角度θｂは、次にようにして決定される。
すなわち連結脚部１１（１２）は、内筒及び外筒にそれぞれ連結されるとき、連結強度を確保するため接触面積をできるだけ広くとることができるよう、それらの内筒及び外筒の両端部に漸次拡がるように連結されている。このため、連結脚部１１（１２）の本来の延在方向を決定することが難しい。このため、内筒２および外筒３と連結のための広がり部分を除く目的から、図３に示すように、連結脚部１１（１２）を、内筒２近傍の内筒連結領域Ｘａ、外筒３近傍の外筒連結領域Ｘｂ、それら両領域の中間部に位置する連結脚部本体領域Ｘｃの３つに等分し、中間部の連結脚部本体領域Ｘｃの延在方向を、連結脚部１１（１２）の本来の延在方向とした。
【００２０】
具体的には、連結脚部１１の内筒２との接合部から外筒側へ、内筒２と外筒３との間の離間距離の１／３離間した箇所の線分ｍ（この線分は内筒２の軸芯と平行）の中央部ｍａと、外筒３との接合部から内筒側へ前記離間距離の１／３離間した箇所の線分ｎの中央部ｎａとを結ぶ線ｌを、中間部の連結脚部本体領域Ｘｃの延在方向、つまり、連結脚部１１（１２）の本来の延在方向とした。したがって、この線ｌと内筒２の軸芯と直交する前記面Ｓとのなす角度が前記傾斜角度θｂとなる。
【００２１】
この傾斜角度θｂは、０（度）＜θｂ＜８０（度）の範囲内、より好ましくは２０（度）＜θ＜５０（度）の範囲内に設定される。
０（度）＜θｂ＜８０（度）の範囲内に設定するのは、連結脚部１１（１２）の傾斜角度を０度とした場合、従来のものと同様の構成となり、内筒に対して斜め方向から加わる振動入力が加わるときに、連結脚部１１（１２）が繰り返し圧縮変形させられ、結果的に連結脚部１１（１２）の耐久性が悪化する不具合が生じ、また、連結脚部１１（１２）の傾斜角度を、８０度以上に設定すると、内筒２と外筒３とがそれらの軸芯方向に大きくずれて配置されることとなり、当該防振装置１の占有スペースが拡がり，実用上好ましくないからである。
また、２０（度）＜θｂ＜５０（度）に設定するのは、当該防振装置１の組み付け態様によって、内筒２に加わる振動入力Ｆの方向が決定されるが、この振動入力Ｆの方向に対して、連結脚部１１（１２）を略直交するように配置させやすいからである。
【００２２】
なお、外筒３の一端側（図２において左端側）には、外方へ広がるように折り曲げられた外フランジ３ａが形成されている。外筒３の他端側（図２において右端側）には、内方へ狭まるように折り曲げられた内フランジ３ｂが形成されている。このように外筒３に、外フランジ３ａ及び内フランジ３ｂがそれぞれ設けられているのは、前述したように、この外筒３は、内部に内筒２及び弾性連結部４がそれぞれ組み込まれた状態で、図示せぬブラケットの円筒支持部に挿入されるためである。すなわち、内フランジ３ｂは挿入の際、案内部として機能し、また、外フランジ３ａは挿入完了の際、ストッパとして機能する。
なお、１３は、内筒側に固定されるエンジンが、外筒側に対して所定値以上相対変位しようとするときに、該エンジンに当接してエンジンのそれ以上の変位を規制するストッパである。
【００２３】
次に、上記構成の防振装置の作用について説明する。
弾性連結部４の連結脚部１１，１２を、内筒２の軸芯と直交する面Ｓに対し傾斜させて配置しているので、図３に示すように、エンジン側から内筒２に斜め方向から振動入力Ｆが加わる際に、この振動入力に対し、連結脚部１１，１２は主に剪断方向へ変形することとなる。このため、連結脚部１１、１２には、圧縮変形に伴う座屈現象が現れにくく、結果的に弾性連結部４の耐久性が増す。
【００２４】
特に、連結脚部１１，１２を、前記振動入力Ｆに対して略直交するように、その傾斜角度θｂを設定して配置しておけば、同振動入力Ｆが加わる際に、連結脚部１１，１２は専ら剪断方向へ変形するから、弾性連結部４の耐久性はより一層増すこととなる。
【００２５】
また、この実施形態では、弾性連結部に複数のすぐり部５、６を形成しており、このすぐり部５，６の配置並びに形状を適宜設定することで、弾性連結部４の特性を任意に設定できる。また、損傷され易い箇所にすぐり部を設けることにより、その部分の柔軟性を増し、これによって、その箇所の損傷を未然に回避できる。さらに、この実施形態のように貫通孔形状のすぐり部５，６を設けることにより、内筒側に固定されるエンジンと外筒側に固定される車体との相対変位が所定量以上になろうとするとき、それを規制するストッパ７，９を設けることができる。
＜第２実施形態＞
【００２６】
図４及び図５は、本発明の第２実施形態の防振装置を示し、図４は防振装置の正面図、図５は図４のＶ―Ｖ線に沿う断面図である。なお、この第２実施形態において、前述した第１実施形態と同一の構成要素については同一符号を付してその説明を省略する。
この第２の実施形態の防振装置２０が、前述した第１実施形態と異なるところは、弾性連結部２１の構造である。
すなわち、前記第１の実施形態では、貫通孔形状のすぐり部５，６を備えているのに対し、この第２実施形態では、凹部形状のすぐり部２２，２３を備えている。
【００２７】
弾性連結部２１の左右の端面部には、それぞれ正面視リング状とされた凹部形状のすぐり部２２，２３が形成されている。これらすぐり部の底面２２ａ、２３ａは、内筒２の軸芯と直交する面Ｓに対して傾斜するように、かつ、互いに平行となるように形成されている。したがって、図５に示すように、弾性連結部２１は、内筒２の上側部分２１及び下側部分２１Ｂともに、内筒２の軸芯と直交する面Ｓに対し、傾斜角度θｂを有するように傾斜して配置されている。なお、実施形態において内筒２と外筒３とは同心状に配置されている。
【００２８】
この実施形態においても、弾性連結部２１を、内筒２の軸芯と直交する面Ｓに対し傾斜させて配置しているので、エンジン側から内筒２に斜め方向から振動入力Ｆが加わる際に、この振動入力に対し、弾性連結部２１が主に剪断方向へ変形することとなり、弾性連結部２１の耐久性が増す効果が得られる。
【００２９】
なお、本発明は、前記各実施形態に限定されることなく、発明の趣旨を逸脱しない範囲において適宜設計変更可能である。
例えば、前記実施形態では、防振装置をエンジンマウントとして利用した例について説明したが、これに限られることなく、サススペンションを支持する構造にも、本発明の防振装置は使用可能である。
また、前記第１の実施形態では、弾性連結部に連結脚部１１，１２を２個設けた例について説明したが、これに限られることなく、連結脚部を３個以上設けもよい。また、前記各実施形態では、すぐり部を２個設けた例について説明したが、これに限られることなく、すぐり部は１個であっても、あるいは３個以上設けてもよい。
【図面の簡単な説明】
【００３０】
【図１】本発明の第１実施形態の防振装置を示す正面図である。
【図２】図１のII―II線に沿う断面図である。
【図３】図１のIII―III線に沿う断面図である。
【図４】本発明の第２実施形態の防振装置を示す正面図である。
【図５】図４のＶ―Ｖ線に沿う断面図である。
【符号の説明】
【００３１】
１，２０  防振装置
２  内筒
３  外筒
４、２１  弾性連結部
５，６，２２、２３  すぐり部
１１，１２  連結脚部
Ｓ  内筒の軸芯に直交する面  
θｂ  傾斜角度
【図１】
2008202668.tif 000003
【図２】
2008202668.tif 000004
【図３】
2008202668.tif 000005
【図４】
2008202668.tif 000006
【図５】
2008202668.tif 000007